(57)【要約】【課題】簡単な構成により、身体を洗浄するときにおけるマッサージ効果をより高めることが可能な洗浄装置およびシャワーヘッドを実現すること。【解決手段】洗浄装置１２０は、主通路２１０と、絞り部２１３と、吸気孔２２０と、生成手段２３０とを備える。主通路２１０は、本体の内部に形成され、第一の流体が通過する。絞り部２１３は、主通路２１０の途中に形成され、主通路２１０の内径より小さい内径の副通路を有し副通路の内部を通過する第一の流体の流速および圧力を高める。吸気孔２２０は、本体の外部から副通路に向かって穿設され、第一の流体が副通路の内部を通過することにより生じた負圧によって副通路の内部へ外気を吸入する。生成手段２３０は、副通路の内部に設けられ、副通路の内部を通過する第一の流体の圧力によって吸気孔２２０から吸入された外気からマイクロバブルを生成し副通路の内部を通過する第一の流体にマイクロバブルを混入する。【選択図】図２
2007260563.tif 000002
【特許請求の範囲】
【請求項１】
本体の内部に形成され、第一の流体が通過するための主通路と、
前記主通路の途中に形成され、前記主通路の内径より小さい内径の副通路を有し、前記副通路の内部を通過する第一の流体の流速および圧力を高める絞り部と、
前記本体の外部から前記副通路に向かって穿設され、前記第一の流体が前記副通路の内部を通過することにより生じた負圧によって前記副通路の内部へ外気を吸入するための吸気孔と、
を備えたことを特徴とする洗浄装置。
【請求項２】
前記副通路の内部に設けられ、前記副通路の内部を通過する前記第一の流体の圧力によって、前記吸気孔から吸入された外気からマイクロバブルを生成し、前記副通路の内部を通過する前記第一の流体に前記マイクロバブルを混入するための生成手段をさらに備えたことを特徴とする請求項１に記載の洗浄装置。
【請求項３】
前記本体の外部から前記副通路に向かって穿設され、前記第一の流体が前記副通路の内部を通過することにより生じた負圧によって前記副通路の内部へ第二の流体を吸入するための吸入孔をさらに備えたことを特徴とする請求項１または２に記載の洗浄装置。
【請求項４】
前記吸入孔の途中に設けられ、前記吸入孔の開度を変化させ、前記絞り部の内部へ吸入される第二の流体の吸入量を調整するための調整手段をさらに備えたことを特徴とする請求項３に記載の洗浄装置。
【請求項５】
前記調整手段は、前記吸入孔を閉塞可能な状態で設けられ、前記吸入孔の軸と平行する回動軸を有し、それぞれ異なる内径を有する複数の調整孔が前記回動軸を中心とした円周上に配置形成された回動自在な円盤状の調整弁を備え、
前記吸入孔の軸上に、前記調整弁に配置形成された調整孔のいずれか一つの中心が位置するように前記調整弁を回動させることによって、前記吸入孔の開度を変化させ、前記絞り部の内部へ吸入される第二の流体の吸入量を調整することを特徴とする請求項４に記載の洗浄装置。
【請求項６】
前記第一の流体は水であり、前記第二の流体は洗浄液であることを特徴とする請求項３〜５のいずれか一つに記載の洗浄装置。
【請求項７】
請求項１〜６のいずれか一つに記載の洗浄装置を備えたことを特徴とするシャワーヘッド。
【発明の詳細な説明】
【技術分野】
【０００１】
この発明は、流体に気泡を混入させたうえでこの流体を吐出する洗浄装置およびその洗浄装置を備えたシャワーヘッドに関する。
【背景技術】
【０００２】
従来より、気泡が混入された水を用いて身体を洗浄することによって、身体を清潔にするとともに、皮膚を痛めることなく皮膚に心地よい刺激を与えることができ、これにより皮膚の血行が促進されるなどのマッサージ効果を得ることができる洗浄装置が知られている。特に、このような装置を用いて頭部を洗浄することによって、頭皮の血行を促進することができ、これにより頭髪の育毛効果を高めることができるとされているものもある。
【０００３】
このような洗浄装置をシャワー装置に適用したものとして、たとえば、空気導入孔および噴射管が設けられたジョイントを用いて、シャワーヘッドとシャワーホースとを接続する構成を採用し、噴射管から水が噴出されるときに生じる負圧を利用して、空気導入孔から導入した空気を水に混入させることができるシャワー装置が知られている（たとえば特許文献１参照。）。
【０００４】
また、たとえば、シャワーヘッドの内部に形成された液体用通路とエア用通路との間にレバー操作による開閉可能なバルブを配置する構成を用いたことによって、このバルブを開いたうえで、液体用の通路を水が通過するときに生じる負圧を利用して、エア用の通路から導入した空気を水に混入させることができるシャワー装置が知られている（たとえば特許文献２参照。）。
【０００５】
【特許文献１】特開平１０−４３６４１号公報
【特許文献２】実開平７−３４９４７号公報
【発明の開示】
【発明が解決しようとする課題】
【０００６】
しかしながら、上記特許文献１に記載された従来技術のシャワー装置においては、シャワーホースとの接続部分に噴射管を設けているため、この接続部分における耐久性が低く、噴射管が折れるなどの危険性が高いという問題があった。そのうえ、水に混入される気泡の径が比較的大きく（たとえば２ｍｍ〜３ｍｍ）、その数も少ないため、高いマッサージ効果を得ることができないという問題があった。
【０００７】
また、上記特許文献２に記載された従来技術のシャワー装置においては、液体用通路とエア用通路との間にシリンダ機構を利用したバルブを設けているため、構造が複雑となり、シャワー装置の製造、組み立ておよびメンテナンスに要するコストが増加するという問題があった。そのうえ、水に混入される気泡の径が比較的大きく（たとえば１ｍｍ〜２ｍｍ）、その数も少ないため、同じく高いマッサージ効果を得ることができないという問題があった。
【０００８】
この発明は、上記従来技術の問題点に鑑みてなされたものであり、簡単な構成によって、身体を洗浄するときにおけるマッサージ効果をより高めることが可能な洗浄装置およびシャワーヘッドを実現することを目的とする。
【課題を解決するための手段】
【０００９】
上述した課題を解決し、目的を達成するため、この発明にかかる洗浄装置は、本体の内部に形成され、第一の流体が通過するための主通路と、前記主通路の途中に形成され、前記主通路の内径より小さい内径の副通路を有し、前記副通路の内部を通過する第一の流体の流速および圧力を高める絞り部と、前記本体の外部から前記副通路に向かって穿設され、前記第一の流体が前記副通路の内部を通過することにより生じた負圧によって前記副通路の内部へ外気を吸入するための吸気孔と、を備えたことを特徴とする。
【００１０】
また、この発明にかかる洗浄装置は、上記に記載の発明において、前記副通路の内部に設けられ、前記副通路の内部を通過する前記第一の流体の圧力によって、前記吸気孔から吸入された外気からマイクロバブルを生成し、前記副通路の内部を通過する前記第一の流体に前記マイクロバブルを混入するための生成手段をさらに備えたことを特徴とする。
【００１１】
また、この発明にかかる洗浄装置は、上記に記載の発明において、前記本体の外部から前記副通路に向かって穿設され、前記第一の流体が前記副通路の内部を通過することにより生じた負圧によって前記副通路の内部へ第二の流体を吸入するための吸入孔をさらに備えたことを特徴とする。
【００１２】
また、この発明にかかる洗浄装置は、上記に記載の発明において、前記吸入孔の途中に設けられ、前記吸入孔の開度を変化させ、前記絞り部の内部へ吸入される第二の流体の吸入量を調整するための調整手段をさらに備えたことを特徴とする。
【００１３】
また、この発明にかかる洗浄装置は、上記に記載の発明において、前記調整手段は、前記吸入孔を閉塞可能な状態で設けられ、前記吸入孔の軸と平行する回動軸を有し、それぞれ異なる内径を有する複数の調整孔が前記回動軸を中心とした円周上に配置形成された回動自在な円盤状の調整弁を備え、前記吸入孔の軸上に、前記調整弁に配置形成された調整孔のいずれか一つの中心が位置するように前記調整弁を回動させることによって、前記吸入孔の開度を変化させ、前記絞り部の内部へ吸入される第二の流体の吸入量を調整することを特徴とする。
【００１４】
また、この発明にかかる洗浄装置は、上記に記載の発明において、前記第一の流体は水であり、前記第二の流体は洗浄液であることを特徴とする。
【００１５】
また、この発明にかかるシャワーヘッドは、上記に記載の洗浄装置を備えたことを特徴とする。
【発明の効果】
【００１６】
この発明によれば、本体の内部に形成された主通路の内部において、生成手段を配置するだけといった簡単な構成によって、気泡の径が小さく、大量の気泡を水に対して混入させることができる。これにより、身体を洗浄するときにおけるマッサージ効果をより高めることができるだけでなく、製造、組み立ておよびメンテナンスに要するコストを削減することが可能な洗浄装置およびシャワーヘッドを実現することができるという効果を奏する。
【発明を実施するための最良の形態】
【００１７】
以下に添付図面を参照して、この発明にかかる洗浄装置およびシャワーヘッドの好適な実施の形態を詳細に説明する。
【００１８】
（実施の形態１）
（シャワーヘッドの構成）
まず、実施の形態１にかかるシャワーヘッド１００の構成について説明する。図１は、この発明の実施の形態１にかかるシャワーヘッド１００を示す側面図である。図１において、たとえば浴室などに備えられ、身体を洗浄するときなどに把持されて利用されるシャワーヘッド１００は、たとえば、主要部が円筒形状によって形成されたヘッド部１１０と、このヘッド部１１０と連続する洗浄装置１２０とによって構成されている。このシャワーヘッド１００は、たとえば、洗浄装置１２０側においてホース１３０と接続されており、このホース１３０を通じて第一の流体としての水道水などの供給を受ける。
【００１９】
ヘッド部１１０は、たとえば、洗浄装置１２０と一体形成され、ヘッド部１１０および洗浄装置１２０の内部には、ホース１３０から供給された水道水が吐出孔１１１に向かって通過するように、たとえば円筒形状における内管部分に相当するような主通路２１０（図２を用いて後述する）が形成されている。ヘッド部１１０には、主通路２１０の内部を通過する水道水を、シャワー状（細かな線状）の水道水に変化させた状態で吐出するための多数の吐出孔１１１が形成されている（図１においては、便宜上、向かって最も下側の吐出孔にのみ符号を付ける。）。
【００２０】
洗浄装置１２０は、ホース１３０から供給された水道水が主通路２１０を通過するときに外気を吸入し、この外気からマイクロバブルを多数生成する。そして洗浄装置１２０は、多数生成したマイクロバブルを主通路２１０を通過する水道水に対して混入する。
【００２１】
（洗浄装置１２０の構成）
つぎに、実施の形態１にかかる洗浄装置１２０の構成の詳細について説明する。図２および図３は実施の形態１にかかる洗浄装置１２０を示す断面図である。図２に示すように洗浄装置１２０は、メインボディ２００と、主通路２１０と、吸気孔２２０と、生成手段２３０とを備えて構成されている。
【００２２】
洗浄装置１２０における主通路２１０は、ホース１３０から供給された水道水がヘッド部１１０方向（図中矢印Ａで示す方向）に向かってメインボディ２００の内部を通過するように、メインボディ２００の内部に形成された通路である。また主通路２１０における、ホース１３０からの水道水の供給を受ける側には、内径Ｗ１を有する開口部２１１が形成されている。また主通路２１０における、ヘッド部１１０によって水道水が吐出される側には、内径Ｗ２を有する開口部２１２が形成されている。
【００２３】
さらに、主通路２１０の途中（ほぼ中間位置）においては、主通路２１０の内部を通過する水道水の流速および圧力を高める絞り部２１３が形成されている。この絞り部２１３は、最も内径が大きい部分において開口部２１２の内径Ｗ２と同一の内径を有し、最も内径が小さい部分において開口部２１２の内径Ｗ２よりも小さい内径Ｗ３を有する。
【００２４】
また、絞り部２１３は、開口部２１１方向における上記内径Ｗ２を有する部分から、上記内径Ｗ３を有する部分に向かって内径が徐々に小さく変化するようにテーパ状に形成されている。さらに絞り部２１３は、上記内径Ｗ３を有する部分から、開口部２１２方向における上記内径Ｗ２を有する部分へ向かって内径が徐々に大きく変化するようにテーパ状に形成されている。なお絞り部２１３は、主通路２１０の内部を通過する水道水の流速および圧力を高めることが可能な形状であれば上述したテーパ状に形成されていなくともよい。
【００２５】
吸気孔２２０は、ホース１３０から供給された水道水が絞り部２１３の内部を通過することにより生じた負圧によって絞り部２１３の内部へ外気を吸入するため、メインボディ２００の外部から絞り部２１３の内部に向かって穿設されている。また吸気孔２２０には、ホース１３０からの水道水の供給が停止されたときに生じるメインボディ２００の外部と絞り部２１３の内部との圧力差によって、絞り部２１３の内部に溜まった水道水が吸気孔２２０を通じてメインボディ２００の外部へ流出することを防止するための逆流防止弁（逆止弁）２２１が設けられている。
【００２６】
生成手段２３０は、吸気孔２２０から吸入された外気が通過するための外気通路２３２が内部に形成された円筒状のブリードパイプ２３１によって構成される。このブリードパイプ２３１は絞り部２１３の内部において、絞り部２１３の軸の位置とブリードパイプ２３１の軸２３３の位置とが一致する（すなわち、同軸となる）ように、なおかつ絞り部２１３の内部を通過する水道水の流量および流速に与える影響が最小限ものとなるように、図３に示すような固定部材３００によって、Ａ−Ａ方向およびＢ−Ｂ方向から固定されて配置される。
【００２７】
また、ブリードパイプ２３１には、ブリードパイプ２３１の外周面から軸２３３と直交する方向に向かってブリードパイプ２３１の内周面へ貫通するように穿設されたブリード孔２３４が、ブリードパイプ２３１の円周方向および軸２３３方向に亘って複数形成されている。ここで、効率的かつ確実にマイクロバブルを生成するためには、ブリード孔２３４の内径は、たとえば０．５ｍｍ〜１．０ｍｍの範囲内であることが好ましい。
【００２８】
（シャワーヘッド１００の作用）
つぎに上述した構成によるシャワーヘッド１００の作用について説明する。図４は、実施の形態１にかかるシャワーヘッド１００の作用を示す説明図である。
【００２９】
図４において、まず、ホース１３０（図１参照）から供給された水道水４００が開口部２１１から主通路２１０の内部に導入され（１）、この水道水４００が絞り部２１３の内部を通過すると（２）、水道水４００の流速および圧力が高まるとともに、メインボディ２００の外部と絞り部２１３の内部との圧力差（絞り部２１３における負圧）が生じる。
【００３０】
そして、絞り部２１３に生じた負圧によって、吸気孔２２０より外気４０１が吸入され、この外気４０１がブリードパイプ２３１の内部に形成された外気通路２３２の内部へ導入される（３）。さらに、絞り部２１３に生じた負圧によって、ブリードパイプ２３１に形成された多数のブリード孔２３４において、外気通路２３２の内部に導入された外気４０１からマイクロバブル４０２が生成され、このマイクロバブル４０２が、絞り部２１３の内部を通過する水道水４００に混入される（４）。
【００３１】
ここで、洗浄装置１２０は、多数のブリード孔２３４が形成されたブリードパイプ２３１を用いたことによって、非常に径が小さく（たとえば０．０１ｍｍ〜０．１０ｍｍ）、大量のマイクロバブル４０２を生成することができる。また、洗浄装置１２０は、絞り部２１３により水道水４００の流速を高める構成を用いたことによって、効率的かつ確実に非常に径が小さく、大量のマイクロバブル４０２を生成することができる。
【００３２】
そして、流速および圧力が高められたうえでマイクロバブル４０２が混入された水道水４００は、開口部２１２を通じてヘッド部１１０（図１参照）へ送り込まれる（５）。さらにヘッド部１１０へ送り込まれた水道水４００は、ヘッド部１１０に形成された多数の吐出孔１１１によって、液状からシャワー状へ状態を変化させたうえで、吐出孔１１１から吐出される。
【００３３】
以上説明したように、本実施の形態１におけるシャワーヘッド１００によれば、メインボディ２００の内部に形成された主通路２１０の途中において絞り部２１３を形成し、この絞り部２１３の内部へ外気を吸入するための吸気孔２２０をメインボディ２００に設け、さらに絞り部２１３の内部に多数のブリード孔２３４が形成されたブリードパイプ２３１を配置するだけといった簡単な構成を用いた。
【００３４】
そして、本実施の形態１におけるシャワーヘッド１００によれば、上述した構成により、水道水４００の流速および圧力を高めたうえで、非常に径が小さく、大量のマイクロバブル４０２を効率的かつ確実に生成して、この大量のマイクロバブル４０２が混入された水道水４００を吐出孔１１１から吐出することができる。そして、たとえばユーザは、流速および圧力が高められたうえで、大量のマイクロバブル４０２が混入された水道水４００を用いて身体を洗浄することによって、効率的かつ容易に、身体を清潔にすることができるだけでなく、皮膚を痛めることなく、身体に心地よい刺激を得ることができる。
【００３５】
このように、本実施の形態１におけるシャワーヘッド１００によれば、身体を洗浄するときにおけるマッサージ効果をより高めることができるだけでなく、簡単な構成を用いたことによって、このシャワーヘッド１００の製造、組み立ておよびメンテナンスに要するコストを削減することができる。
【００３６】
（実施の形態２）
（シャワーヘッドの構成）
つぎに、実施の形態２にかかるシャワーヘッド１００Ａの構成について説明する。図５は、この発明の実施の形態２にかかるシャワーヘッド１００Ａを示す側面図である。図５に示すシャワーヘッド１００Ａは、実施の形態１（図１）に示したシャワーヘッド１００の構成に加えて、シャンプーやボディシャンプーなどの第二の流体としての洗浄液を洗浄装置１２０Ａの内部へ供給するための洗浄液供給手段５００をさらに備えている点が、実施の形態１（図１）に示したシャワーヘッド１００の構成と異なる。
【００３７】
洗浄液供給手段５００は、洗浄装置１２０Ａの内部へ供給される洗浄液の液量を調整する調整手段５１０と、シャンプーやボディシャンプーなどの洗浄液が注入された液体タンクなどと調整手段５１０とを接続する接続パイプ５２０とを備えて構成されている。
【００３８】
（洗浄装置１２０Ａおよび調整手段５１０の構成）
つぎに、実施の形態２にかかる洗浄装置１２０Ａおよび調整手段５１０の構成の詳細について説明する。図６に示すように洗浄装置１２０Ａは、実施の形態１（図２）に示した洗浄装置１２０の構成に加えて、吸入孔６００をさらに備えている点が、実施の形態１（図２）に示した洗浄装置１２０の構成と異なる。なお、以降において、既に実施の形態１において説明した部分と重複する箇所には同一の符号を附して説明を省略する。
【００３９】
吸入孔６００は、ホース１３０から供給された水道水が絞り部２１３の内部を通過することにより生じた負圧によって絞り部２１３の内部へ洗浄液を吸入するため、メインボディ２００の外部から絞り部２１３の内部に向かって穿設されている。
【００４０】
また、図６に示すように調整手段５１０は、サブボディ６０１と、調整弁６１０とを備えて構成されている。サブボディ６０１は、接続パイプ５２０が接続される接続部６０２を備える。またサブボディ６０１には、接続パイプ５２０を介して供給された洗浄液が、メインボディ２００に穿設された吸入孔６００に向かってサブボディ６０１の内部を通過するように洗浄液通路６０２が形成されている。
【００４１】
調整弁６１０は、洗浄液通路６０２および吸入孔６００を通じて絞り部２１３の内部へ供給される洗浄液の液量を調整する。この調整弁６１０は、メインボディ２００とサブボディ６０１との間において吸入孔６００を閉塞することができる状態で配置される。また、調整弁６１０は、調整弁６１０の中心位置が回動軸となるようにボルト６１３およびベアリング６１４によって回動自在に軸支される。また、図７は、調整弁６１０を示す平面図であり、図７に示すように調整弁６１０には、それぞれ異なる内径を有する複数の調整孔６１１が前記ボルト６１３を中心とした同一円周上に配置形成されている。
【００４２】
（シャワーヘッド１００Ａの作用）
つぎに上述した構成によるシャワーヘッド１００Ａの作用について説明する。図８は、実施の形態２にかかるシャワーヘッド１００Ａの作用を示す説明図である。
【００４３】
図８において、まず、ホース１３０（図５参照）から供給された水道水４００が開口部２１１から主通路２１０の内部に導入され（１）、この水道水４００が絞り部２１３の内部を通過すると（２）、水道水４００の流速および圧力が高まるとともに、メインボディ２００の外部と絞り部２１３の内部との圧力差（絞り部２１３における負圧）が生じる。
【００４４】
そして、絞り部２１３に生じた負圧によって、吸気孔２２０より外気４０１が吸入され、この外気４０１がブリードパイプ２３１の内部に形成された外気通路２３２の内部へ導入される（３）。さらに、絞り部２１３に生じた負圧によって、ブリードパイプ２３１に形成された多数のブリード孔２３４において、外気通路２３２の内部に導入された外気４０１からマイクロバブル４０２が生成され、このマイクロバブル４０２が、絞り部２１３の内部を通過する水道水４００に混入される（４）。
【００４５】
さらに、絞り部２１３に生じた負圧によって、洗浄液８００が注入された液体タンクなどから、接続パイプ５２０（図５参照）、洗浄液通路６０２および吸入孔６００を介して洗浄液８００が絞り部２１３の内部へ吸入され（５）、この洗浄液８００が、絞り部２１３の内部を通過する水道水４００に混入される（６）。
【００４６】
ここで、絞り部２１３の内部へ吸入される洗浄液８００の量は、調整弁６１０に形成されたそれぞれ異なる内径を有する複数の調整孔６１１のうち、洗浄液通路６０２と吸入孔６００とを連絡する調整孔６１１の径の大きさに応じて決定される。このため、たとえばユーザは、調整弁６１０を回動させて、調整弁６１０に形成された複数の調整孔６１１の中から、所望する吸入量に応じた調整孔６１１を用いて洗浄液通路６０２と吸入孔６００とを連絡させることによって、容易に絞り部２１３の内部へ吸入される洗浄液８００の吸入量を調整することができる。
【００４７】
また、たとえばすすぎ洗浄をおこないたい場合には、調整弁６１０を回動させて、洗浄液通路６０２と吸入孔６００との連絡を遮断することによって、絞り部２１３の内部へ洗浄液８００が吸入されないようにすることもできる。また、たとえば調整弁６１０に形成される調整孔６１１の数を増やし、洗浄液８００の吸入量の微調整をおこなうことができるようにしてもよい。
【００４８】
そして、流速および圧力が高められたうえでマイクロバブル４０２および洗浄液８００が混入された水道水４００は、開口部２１２を通じてヘッド部１１０（図５参照）へ送り込まれる（７）。そしてヘッド部１１０へ送り込まれた水道水４００は、ヘッド部１１０に形成された多数の吐出孔１１１によって、液状からシャワー状へ状態を変化させたうえで、吐出孔１１１から吐出される。
【００４９】
以上説明したように、本実施の形態２におけるシャワーヘッド１００Ａによれば、実施の形態１に示したシャワーヘッド１００の構成に加えて、簡単な構成によりシャンプーやボディシャンプーなどの洗浄液を洗浄装置１２０Ａの内部へ供給することができる洗浄液供給手段５００をさらに備えただけといった簡単な構成を用いた。
【００５０】
そして、本実施の形態２におけるシャワーヘッド１００Ａによれば、上述した構成により、水道水４００の流速および圧力を高めたうえで、非常に径が小さく、大量のマイクロバブル４０２を効率的かつ確実に生成して、この大量のマイクロバブル４０２および洗浄液８００が混入された水道水４００を吐出孔１１１から吐出することができる。そして、たとえばユーザは、流速および圧力が高められたうえで、大量のマイクロバブル４０２および洗浄液８００が混入された水道水４００を用いて身体を洗浄することによって、効率的かつ容易に、身体を清潔にすることができるだけでなく、皮膚を痛めることなく、身体に心地よい刺激を得ることができる。
【００５１】
このように、本実施の形態２におけるシャワーヘッド１００Ａによれば、身体を洗浄するときにおけるマッサージ効果をより高めることができるだけでなく、簡単な構成を用いたことによって、このシャワーヘッド１００Ａの製造、組み立ておよびメンテナンスに要するコストを削減することができる。
【００５２】
なお、本実施の形態１および本実施の形態２におけるシャワーヘッド１００およびシャワーヘッド１００Ａを用いた身体の洗浄においては、マッサージ効果だけでなく、高い洗浄効果を得ることもできる。このため、身体の洗浄だけでなく、たとえば食器や自動車などを洗浄するときにおいて、シャワーヘッド１００およびシャワーヘッド１００Ａを用いることによって、洗浄作業の効率を高め、洗浄作業の短時間化を図ることができる。また、洗浄作業が短時間化されることによって、水道水の使用量を抑えることができ、これにより洗浄作業に要する水道代などのコストを削減することができる。
【図面の簡単な説明】
【００５３】
【図１】この発明の実施の形態１にかかるシャワーヘッドを示す側面図である。
【図２】実施の形態１にかかる洗浄装置を示す断面図である。
【図３】実施の形態１にかかる洗浄装置を示す断面図である。
【図４】実施の形態１にかかるシャワーヘッドの作用を示す説明図である。
【図５】この発明の実施の形態２にかかるシャワーヘッドを示す側面図である。
【図６】実施の形態２にかかる洗浄装置および調整手段を示す断面図である。
【図７】調整弁を示す平面図である。
【図８】実施の形態２にかかるシャワーヘッドの作用を示す説明図である。
【符号の説明】
【００５４】
１００  シャワーヘッド
１００Ａ  シャワーヘッド
１１０  ヘッド部
１１１  吐出孔
１２０  洗浄装置
１２０Ａ  洗浄装置
１３０  ホース
２１０  主通路
２１１  開口部
２１２  開口部
２１３  絞り部
２２０  吸気孔
２２１  逆流防止弁
２３０  生成手段
２３１  ブリードパイプ
２３２  外気通路
２３３  軸
２３４  ブリード孔
４００  水道水
４０１  外気
４０２  マイクロバブル
５００  洗浄液供給手段
６００  吸入孔
６０１  サブボディ
６１０  調整弁
６１１  調整孔
８００  洗浄液
【図１】
2007260563.tif 000003
【図２】
2007260563.tif 000004
【図３】
2007260563.tif 000005
【図４】
2007260563.tif 000006
【図５】
2007260563.tif 000007
【図６】
2007260563.tif 000008
【図７】
2007260563.tif 000009
【図８】
2007260563.tif 000010